(57)【要約】【課題】原液のままでも泡立ち性に優れるものでありながら、すすぎ性も良好な浴室用液体洗浄剤の提供。【解決手段】下記一般式（１）で表される化合物（ａ）と、炭素数が８〜１６である脂肪酸のアルカリ金属塩（ｂ）とを含有し、（ａ）／（ｂ）で表される質量比が０．１〜１５である浴室用液体洗浄剤。式中、ｘとｙはそれぞれ１〜７の整数であり、ｘ＋ｙ＝８である。ＰＯはオキシプロピレン基、ＥＯはオキシエチレン基を表す。ｐはＰＯの平均繰返し数、ｑはＥＯの平均繰返し数を表し、ｐ＋ｑは１〜１０である。Ｍはアルカリ金属、アルカリ土類金属、アンモニウムおよびアルカノールアミンのいずれかである。［化１］2013194127.tif 000011【選択図】なし【特許請求の範囲】
【請求項１】
下記一般式（１）で表される化合物（ａ）と、炭素数が８〜１６である脂肪酸のアルカリ金属塩（ｂ）とを含有し、
（ａ）／（ｂ）で表される質量比が０．１〜１５である、浴室用液体洗浄剤。
【化１】
2013194127.tif 000009
［式（１）中、ｘとｙはそれぞれ１〜７の整数であり、ｘ＋ｙ＝８である。ＰＯはオキシプロピレン基、ＥＯはオキシエチレン基を表す。ｐはＰＯの平均繰返し数、ｑはＥＯの平均繰返し数を表し、ｐ＋ｑは１〜１０である。Ｍはアルカリ金属、アルカリ土類金属、アンモニウムおよびアルカノールアミンのいずれかである。］
【請求項２】
下記一般式（２）で表されるアミノ酸型両性界面活性剤（ｃ）をさらに含有する、請求項１に記載の浴室用液体洗浄剤。
【化２】
2013194127.tif 000010
［式（２）中、Ｒ１は直鎖または分岐鎖の６〜２２の炭素原子を有するアルキル基またはアルケニル基である。ｓは１〜４の整数である。Ｒ２は水素原子または−（ＣＨ２）ｔＣＯＯＭ２である。ｔは１〜４の整数である。Ｍ１およびＭ２はそれぞれ独立して、水素原子、アルカリ金属イオン、アンモニウム、炭素数２〜３のアルカノール基を有するモノ、ジあるいはトリアルカノールアミン、炭素数１〜５のアルキル基、置換アンモニウムより誘導されるカチオンおよび塩基性アミノ基より誘導されるカチオンのいずれかである。］
【請求項３】
（ｃ）／（ａ）で表される質量比が０．１〜１０である、請求項２に記載の浴室用液体洗浄剤。
【発明の詳細な説明】
【技術分野】
【０００１】
本発明は、浴室用の液体洗浄剤に関する。
【背景技術】
【０００２】
浴室の洗浄には、従来、各種界面活性剤を含む浴室用の洗浄剤が用いられている。
例えば特許文献１には、泡立ち性、すすぎ性に優れた浴室用の洗剤として、ポリオキシエチレンアルキルエーテル硫酸塩と、脂肪酸又はその塩などとを組み合わせた浴室用の洗浄剤が開示されている。特許文献１の実施例には、このような洗浄剤を水で１０％に希釈してウレタン性のスポンジに含浸させ、このスポンジで浴槽を擦った場合には、泡立ちが良好であることが示されている。また、特許文献２および３にも、ポリオキシエチレンアルキルエーテル硫酸塩を用いた洗浄剤が開示されている。
【０００３】
一方、近年、浴室として、浴室内に干した洗濯物を乾燥するための浴室乾燥機能を有するものが普及している。このような浴室乾燥機能を備えた浴室を使用する場合、使用者は、まず入浴後の浴槽のお湯を排水し、ついで、洗濯物を浴室に干し、浴室乾燥機能により乾燥させた後、浴室を浴室用洗剤で洗浄することが多い。すなわち、浴室乾燥機能を有する浴室の洗浄は、浴室乾燥機能を使用した後の乾燥状態にある浴室に対して行われるケースが増加してきている。また、その場合、洗浄に使用するスポンジも、浴室内に保管されることが多いため、浴室乾燥機能により乾燥状態になっていることが多い。
【０００４】
また、最近の浴槽には、排水口を塞ぐ排水栓として、従来のゴム栓式のものに代わって、ワンプッシュ排水栓を備えたものが多くなってきている。ワンプッシュ排水栓は、浴槽の縁部などに設けられたボタンを押すだけの簡単な操作で、排水口を開閉でき、手を濡らすことなく浴槽のお湯を排水できるというメリットがある。ワンプッシュ排水栓には、蓋状の栓部を有する栓体を具備し、栓部が排水口に押し込まれた状態になることで排水口を閉じ、栓部が排水口から突出して排水口の上方に位置した状態になることで排水口を開放する形態のものが多い。
【先行技術文献】
【特許文献】
【０００５】
【特許文献１】特開平１１−３３５７００号公報
【特許文献２】特開２００１−１８７８９５号公報
【特許文献３】特開２００８−６３３７２号公報
【発明の概要】
【発明が解決しようとする課題】
【０００６】
しかしながら、上述のように、浴室乾燥機能を使用した後などの乾燥状態にある浴室や、ワンプッシュ排水栓を備えた浴槽の洗浄に、従来の洗浄剤を用いた場合には、次のような問題が生じた。
従来の洗浄剤は、特許文献１の実施例に示されているように、水で希釈された場合には泡立つ。ところが、水が添加されない原液の状態では充分には泡立たない。そのため、従来の洗浄剤を充分に泡立てるためには、乾燥状態にあるスポンジや浴室をあらかじめ水で濡らす必要があり、手間がかかった。
また、このようにしてスポンジや浴室を濡らして洗浄を行った後、浴槽に水をかけてすすぎ、排水を行おうとすると、排水口の上方に位置するワンプッシュ排水栓の蓋状の栓部が邪魔になって泡が排水口の周囲に滞留し、水が排出されにくくなる。このような場合、すすぎに要する時間と水量とが増加してしまう。
【０００７】
本発明は上記事情に鑑みてなされたもので、原液のままでも泡立ち性に優れるものでありながら、すすぎ性も良好な浴室用液体洗浄剤の提供を課題とする。
【課題を解決するための手段】
【０００８】
本発明の浴室用液体洗浄剤は、下記一般式（１）で表される化合物（ａ）と、炭素数が８〜１６である脂肪酸のアルカリ金属塩（ｂ）とを含有し、（ａ）／（ｂ）で表される質量比が０．１〜１５であることを特徴とする。
【化１】
2013194127.tif 000002
［式（１）中、ｘとｙはそれぞれ１〜７の整数であり、ｘ＋ｙ＝８である。ＰＯはオキシプロピレン基、ＥＯはオキシエチレン基を表す。ｐはＰＯの平均繰返し数、ｑはＥＯの平均繰返し数を表し、ｐ＋ｑは１〜１０である。Ｍはアルカリ金属、アルカリ土類金属、アンモニウムおよびアルカノールアミンのいずれかである。］
本発明の浴室用液体洗浄剤は、下記一般式（２）で表されるアミノ酸型両性界面活性剤をさらに含有することが好ましい。
【化２】
2013194127.tif 000003
［式（２）中、Ｒ１は直鎖または分岐鎖の６〜２２の炭素原子を有するアルキル基またはアルケニル基である。ｓは１〜４の整数である。Ｒ２は水素原子または−（ＣＨ２）ｓＣＯＯＭ２である。ｔは１〜４の整数である。Ｍ１およびＭ２はそれぞれ独立して水素原子、アルカリ金属イオン、アンモニウム、炭素数２〜３のアルカノール基を有するモノ、ジあるいはトリアルカノールアミン、炭素数１〜５のアルキル基、置換アンモニウムより誘導されるカチオンおよび塩基性アミノ基より誘導されるカチオンのいずれかである。］
また、（ｃ）／（ａ）で表される質量比が０．１〜１０であることが好ましい。
【発明の効果】
【０００９】
本発明の浴室用液体洗浄剤によれば、原液のままでも泡立ち性に優れるものでありながら、すすぎ性も良好である。
【発明を実施するための形態】
【００１０】
本発明の浴室用液体洗浄剤（以下、単に液体洗浄剤という場合がある。）は、一般式（１）で表される化合物（ａ）と、炭素数が８〜１６である脂肪酸のアルカリ金属塩（ｂ）とを含有する。
以下、これらの成分をそれぞれ（ａ）成分、（ｂ）成分という場合がある。
また、本発明の液体洗浄剤が洗浄対象とする浴室とは、浴槽、浴室内の壁・床・天井、浴室のドア、浴室に設けられた鏡、蛇口、シャワー、その他の各種設備などであり、プラスチック、金属、陶磁器などの硬表面を有するものである。
【００１１】
＜化合物（ａ）＞
（ａ）成分は、分岐型アルキル基を有する式（１）で表される陰イオン界面活性剤である。
（ａ）成分を後述の（ｂ）成分と組み合わせて得られる液体洗浄剤は、水を外部から添加しない原液の状態でも泡立ち性に優れる。そのため、例えば、このような液体洗浄剤を乾燥状態にあるスポンジに含ませて、浴室乾燥機能を使用した後などの乾燥状態にある浴室を擦った場合でも、充分に泡が立つ。また、この液体洗浄剤は、すすぎの際に水が加えられて希釈されると速やかに破泡し、すすぎ性に優れる。そのため、排水口に設けられた排水栓がワンプッシュ排水栓であっても、その周囲に泡が溜まることなく、短時間かつ少ない水量で、すすぎを終了させることができる。
【００１２】
【化３】
2013194127.tif 000004
［式（１）中、ｘとｙはそれぞれ１〜７の整数であり、ｘ＋ｙ＝８である。ＰＯはオキシプロピレン基、ＥＯはオキシエチレン基を表す。ｐはＰＯの平均繰返し数、ｑはＥＯの平均繰返し数を表し、ｐ＋ｑは１〜１０である。Ｍはアルカリ金属、アルカリ土類金属、アンモニウムおよびアルカノールアミンのいずれかである。］
【００１３】
式（１）中、ｘとｙは、それぞれ１〜７の整数であり、ｘ＋ｙ＝８である。ｘ＋ｙ＝８であることにより、（ａ）成分を含む液体洗浄剤は、原液の状態でも泡立ち性に優れ、一方、水が加えられて希釈されると速やかに破泡し、すすぎ性に優れる。
ＣｘＨ２ｘ＋１、ＣｙＨ２ｙ＋１としては、それぞれ、直鎖状のアルキル基又は分岐鎖状のアルキル基が挙げられ、泡の立ちやすさの観点から、直鎖状のアルキル基が好ましい。そのなかでも、ＣｘＨ２ｘ＋１、ＣｙＨ２ｙ＋１は、プロピル基とペンチル基との組合せ（ｘとｙの一方が３で、他方が５であること）が特に好ましい。
【００１４】
式（１）中、ＰＯはオキシプロピレン基、ＥＯはオキシエチレン基、ｐはＰＯの平均繰返し数、ｑはＥＯの平均繰返し数をそれぞれ表す。
ｐ＋ｑは１〜１０であり、好ましくは１〜５であり、特に好ましくは３〜４である。ｐ＋ｑが前記範囲であることにより、（ａ）成分を含む液体洗浄剤は、原液の状態でも泡立ち性に優れ、一方、水が加えられて希釈されると速やかに破泡し、すすぎ性に優れる。また、洗浄力にも優れる。
ｑは１〜１０であることが好ましく、１〜５であることがより好ましい。ｐは０〜９であることが好ましく、０〜４であることがより好ましい。
【００１５】
ＰＯとＥＯとが混在している場合、ＰＯとＥＯとの配列状態は特に制限されず、ランダム状に混在していてもよく、ブロック状に混在していてもよい。
なお、ｐ、ｑは、それぞれＰＯ、ＥＯの「平均」繰返し数を示している。すなわち、式（１）で表される化合物は、ＰＯ、ＥＯの繰返し数が異なる分子（ＰＯ又はＥＯを有しない分子を含む）の集合体である。また、ＣｘＨ２ｘ＋１とＣｙＨ２ｙ＋１との組合せの異なる分子の集合体であってもよい。
【００１６】
式（１）中、Ｍは、アルカリ金属、アルカリ土類金属、アンモニウムおよびアルカノールアミンのいずれかであり、（ＣｘＨ２ｘ＋１）（ＣｙＨ２ｙ＋１）ＣＨ−ＣＨ２Ｏ−（ＰＯ）ｐ−（ＥＯ）ｑ−ＳＯ３−とともに水溶性の塩を形成し得るものであればよい。
アルカリ金属としては、ナトリウム、カリウム等が挙げられる。アルカリ土類金属としては、カルシウム、マグネシウム等が挙げられる。アルカノールアミンとしては、モノエタノールアミン、ジエタノールアミン、トリエタノールアミン等が挙げられる。
【００１７】
（ａ）成分は、１種単独で用いてもよく、２種以上を適宜組み合わせて用いてもよい。
また、（ａ）成分としては、ガーベット反応による２分子縮合で得られた、β位に分岐構造を有するアルコールのアルキレンオキシド付加物の硫酸化物であることが好ましい。
（ａ）成分は、ガーベットアルコールのアルキレンオキシド付加物を、槽型反応方式、フィルム型反応方式、管型気液混相流反応方式等を用いて、たとえば液体無水硫酸との混合、又はＳＯ３ガスとの接触などにより硫酸化した後、アルカリ金属化合物、アルカリ土類金属化合物、アンモニウム又はアルカノールアミン等で中和することにより製造できる。
【００１８】
ガーベットアルコールのアルキレンオキシド付加物の具体例としては、ＢＡＳＦ社製のルテンゾールＸＰ３０（エチレンオキシドの平均付加モル数３）、ルテンゾールＸＰ４０（エチレンオキシドの平均付加モル数４）、ルテンゾールＸＬ４０（プロピレンオキシドの平均付加モル数１、エチレンオキシドの平均付加モル数３）（以上、商品名）等が挙げられる。
【００１９】
液体洗浄剤中の（ａ）成分の含有量は、０．１〜１５質量％であることが好ましく、より好ましくは２〜８質量％、さらに好ましくは３〜５質量％である。
（ａ）成分の配合量が下限値以上であると、泡立ち性がより良好となり、上限値以下であると、すすぎ性により優れる。すなわち、上記範囲内であると、すすぎ性に悪影響を及ぼすことなく、充分に泡立つ。
【００２０】
＜化合物（ｂ）＞
化合物（ｂ）は、炭素数が８〜１６である脂肪酸のアルカリ金属塩（ｂ）である。（ｂ）成分は、主に消泡作用を担う成分であり、このような（ｂ）成分を（ａ）成分に組み合わせて用いることにより、原液の状態でも泡立ち性が良好でありながら、すすぎ性にも優れる液体洗浄剤とすることができる。
【００２１】
脂肪酸は、炭素数が８〜１６の脂肪酸であれば、飽和、不飽和のいずれでもよく、また、直鎖状、分岐鎖状のいずれでもよい。より好ましい炭素数は、１２〜１４である。脂肪酸の具体例としては、例えばカプリン酸（Ｃ１０）、ラウリン酸（Ｃ１２）、ミリスチン酸（Ｃ１４）、パルミチン酸（Ｃ１６）、ヤシ油脂肪酸（Ｃ１２を中心とする混合脂肪酸）、パーム油脂肪酸（Ｃ１６〜Ｃ１８を中心とする混合脂肪酸）、パーム核油脂肪酸（Ｃ１２を中心とする混合脂肪酸）などが挙げられ、１種以上を使用できる。これらの中でもすすぎ性と泡立ち性を両立する点でラウリン酸、ヤシ油脂肪酸、ミリスチン酸が好ましい。
アルカリ金属塩としては、カリウム塩が好ましい。
【００２２】
液体洗浄剤中の（ｂ）成分の含有量は、０．１〜１０質量％であることが好ましく、１〜３質量％であることがさらに好ましい。（ｂ）成分の配合量が下限値以上であると、すすぎ性がより良好となり、上限値以下であると、泡立ち性により優れる傾向にある。
さらに、（ａ）成分と（ｂ）成分との質量比（ａ）／（ｂ）は、０．１〜１５である。
このような比率であると、泡立ち性とすすぎ性との両立が可能となる。すなわち、（ａ）成分と（ｂ）成分とは、同一の泡膜中に存在する。この際に、（ａ）／（ｂ）が上限値以下であると、（ｂ）成分による消泡作用が充分に発揮され、すすぎ性が優れる。一方、下限値以上であると、泡膜が良好に形成され、泡立ち性に優れる。質量比（ａ）／（ｂ）が０．５〜８であれば、さらに良好な泡立ち性とすすぎ性とが得られる。
【００２３】
＜アミノ酸型両性界面活性剤（ｃ）＞
アミノ酸型両性界面活性剤（ｃ）は、下記一般式（２）で表され、液体洗浄剤の起泡力を向上させる成分であり、（ａ）成分および（ｂ）成分に組み合わせると、浴槽を擦り始めの段階から速やかに泡が立ち、初期の泡立ち性が優れる。以下、アミノ酸型両性界面活性剤（ｃ）を（ｃ）成分ともいう。
【００２４】
【化４】
2013194127.tif 000005
［式（２）中、Ｒ１は直鎖または分岐鎖の６〜２２の炭素原子を有するアルキル基またはアルケニル基である。ｓは１〜４の整数である。Ｒ２は水素原子または−（ＣＨ２）ｔＣＯＯＭ２である。ｔは１〜４の整数である。Ｍ１およびＭ２はそれぞれ独立して水素原子、アルカリ金属イオン、アンモニウム、炭素数２〜３のアルカノール基を有するモノ、ジあるいはトリアルカノールアミン、炭素数１〜５のアルキル基、置換アンモニウムより誘導されるカチオンおよび塩基性アミノ基より誘導されるカチオンのいずれかである。］
【００２５】
Ｒ１の好ましい炭素数は１２〜１４である。ｓは好ましくは１または２である。Ｒ２は好ましくは水素原子である。ｔは好ましくは２である。Ｍ１およびＭ２は好ましくはアルカリ金属であり、より好ましくはナトリウムである。
【００２６】
（ｃ）成分の具体例としては、ラウリルアミノプロピオン酸ナトリウム（Ｒ１：Ｃ１２、Ｒ２：水素原子、ｓ＝２）、ミリスチルアミノプロピオン酸ナトリウム（Ｒ１：Ｃ１４、Ｒ２：水素原子、ｓ＝２）などが挙げられ、１種以上を使用できる。
これらの中でも、初期の泡立ち性がより優れることから、ラウリルアミノプロピオン酸ナトリウムが好ましい。
【００２７】
液体洗浄剤中の（ｃ）成分の含有量は、０．１〜３質量％であることが好ましく、より好ましくは１〜２質量％である。（ｃ）成分の配合量が下限値以上であると、初期の泡立ち性がより良好となり、上限値以下であると、すすぎ性がより優れる。
さらに、（ｃ）成分と（ａ）成分との質量比（ｃ）／（ａ）は、０．１〜１０であることが好ましい。このような比率であると、擦りはじめの初期の泡立ち性がさらに向上し、すすぎ性も良好となる。すなわち、（ａ）成分と（ｃ）成分とは、同一の泡膜中に存在する。この際に、質量比（ｃ）／（ａ）が下限値以上であると、泡が速やかに発生し、擦りはじめの初期の泡立ち性が充分に発揮され、上限値未満であるとすすぎ性が優れる。
【００２８】
＜溶媒＞
（水）
本発明の液体洗浄剤は、液体洗浄剤の調製しやすさや、すすぎの際に水に容易に溶解する観点などから、通常、溶媒として水を含有する。
液体洗浄剤中の水の配合量は、液体洗浄剤中５０〜９５質量％が好ましく、７０〜９５質量％がより好ましく、７５〜９０質量％がさらに好ましい。
水の配合量が下限値以上であると、乾燥状態したスポンジを使用した時の泡立ちに優れ、また、液体洗浄剤がすすぎの際に水に溶解し流れやすくなり、上限値以下であれば、洗浄成分を十分に含有することが可能である。
【００２９】
（有機溶剤）
溶媒としては、水以外に１種以上の有機溶剤を用いてもよい。有機溶剤を使用することによって、例えば（ａ）〜（ｃ）成分を液体洗浄剤に良好に溶解させる効果や、洗浄力などを向上させる効果が得られる。
【００３０】
有機溶剤としては、例えば、炭素数２〜４の１価アルコール、炭素数４〜１２の多価アルコールや炭素数４〜１０のグリセリルエーテル、炭素数３〜１４のグリコールエーテル溶剤が挙げられる。
炭素数２〜４の１価アルコールとしては、エタノール、ｎ−プロパノール、イソプロパノール、ノルマルブタノール、セカンダリーブタノール、ターシャルブタノールが挙げられる。
炭素数４〜１２の多価アルコールや炭素数４〜１０のグリセリルエーテルとしては、イソプレングリコール、２，２，４−トリメチル−１，３−ペンタンジオール、１，８−オクタンジオール、１，９−ノナンジオール、エチレングリコール、プロピレングリコール、ジエチレングリコール、トリエチレングリコール、ジプロピレングリコール、トリプロピレングリコール、グリセリン、ヘキシルグリセリルエーテル等が挙げられる。
炭素数３〜１４のグリコールエーテル溶剤としては、エチレングリコールモノブチルエーテル、ジエチレングリコールモノエチルエーテル、ジエチレングリコールモノプロピルエーテル、ジエチレングリコールモノブチルエーテル、トリエチレングリコールモノブチルエーテル、プロピレングリコールモノメチルエーテル、プロピレングリコールモノエチルエーテル、プロピレングリコールモノブチルエーテル、フェニルカルビトール、フェニルセロソルブ、ベンジルカルビトール等が挙げられる。
【００３１】
これらのうち、（ａ）〜（ｃ）成分を液体洗浄剤に溶解させる効果、洗浄力などの点から、炭素数３〜１４のグリコールエーテル溶剤が好ましく、特に好ましくはジエチレングリコールモノブチルエーテルが好ましい。
有機溶剤の含有量は、液体洗浄剤中、１〜２０質量％が好ましく、さらに好ましくは５〜１５質量％である。下限値以上であると、（ａ）〜（ｃ）成分が液体洗浄剤中に良好に溶解し、液体洗浄剤に濁りが生じにくくなる傾向がある。また、有機溶剤を添加することによる洗浄力の向上効果が得られやすい。一方、上限値以下であると、乾燥状態のスポンジを使用した時の泡立ちに優れ、また、（ａ）〜（ｃ）成分や後述の任意成分の溶解性も維持でき、ゲル化やダマなどのない均一な液体洗浄剤が得られる傾向がある。
【００３２】
＜任意成分＞
本発明の液体洗浄剤は、本発明の効果を妨げない範囲で、浴室用洗浄剤に使用され得る成分を目的に応じて含んでもよい。このような任意成分としては、以下に示す成分が挙げられる。任意成分は、必要に応じて１種以上を用いることができる。
【００３３】
（界面活性剤）
界面活性剤としては、上述した（ａ）〜（ｃ）成分以外の界面活性剤（アニオン性界面活性剤、非イオン性界面活性剤、カチオン性界面活性剤、両性界面活性剤、半極性界面活性剤）が挙げられる。
アニオン性界面活性剤としては、特に限定されず、公知のものを使用できる。例えば、直鎖アルキルベンゼンスルホン酸塩；α−オレフィンスルホン酸塩；直鎖又は分岐鎖のアルキル硫酸エステル塩；アルキルエーテル硫酸エステル塩又はアルケニルエーテル硫酸エステル塩；アルキル基を有するアルカンスルホン酸塩；α−スルホ脂肪酸エステル塩などが挙げられる。
塩としては、ナトリウム、カリウムなどのアルカリ金属塩、モノエタノールアミン、ジエタノールアミンなどのアルカノールアミン塩等が挙げられる。
【００３４】
これらのうち、直鎖アルキルベンゼンスルホン酸塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、炭素数１０〜２０のものが好ましい。
アルキルエーテル硫酸エステル塩又はアルケニルエーテル硫酸エステル塩としては、炭素数１０〜２０の直鎖又は分岐鎖のアルキル基もしくはアルケニル基を有し、平均１〜１０モルの酸化エチレンを付加したもの（すなわち、ポリオキシエチレンアルキルエーテル硫酸エステル塩又はポリオキシエチレンアルケニルエーテル硫酸エステル塩）が好ましい。
アルカンスルホン酸塩の炭素数は１０〜２０、好ましくは１４〜１７であり、２級アルカンスルホン酸塩が特に好ましい。
α−スルホ脂肪酸エステル塩としては、炭素数１０〜２０のものが好ましい。
【００３５】
これらのアニオン性界面活性剤は、市場において容易に入手することができる。また、公知の方法により合成してもよい。
アニオン性界面活性剤を使用する場合、上記のなかでも、洗浄力、泡立ちの点から、炭素数１０〜１４の直鎖アルキルベンゼンスルホン酸塩、炭素数１４〜１７の２級アルカンスルホン酸塩群から選択される少なくとも１種が好ましい。
【００３６】
非イオン性界面活性剤としては特に限定されず、公知のものを使用できる。具体的には、アルキルアミンオキシド型界面活性剤としては、Ｎ−ラウリル−Ｎ，Ｎ−ジメチルアミンオキシド、Ｎ−ミリスチル−Ｎ，Ｎ−ジメチルアミンオキシド、Ｎ−パルミチル−Ｎ，Ｎ−ジメチルアミンオキシド、ラウロイルアミノプロピルジメチルアミンオキシドなどから選ばれるアルキルアミンオキシドが好ましい。この中でも特に洗浄性能、泡立ち性の点から、Ｎ−ラウリル−Ｎ，Ｎ−ジメチルアミンオキシド、Ｎ−ミリスチル−Ｎ，Ｎ−ジメチルアミンオキシドが好ましい。
【００３７】
また、Ｒ１１−Ｏ−（Ｒ１２Ｏ）n−Ｈ（Ｒ１１は炭素数１０〜１８の直鎖又は分岐鎖の炭化水素基、Ｒ１２は炭素数１〜３の炭化水素基、好ましくはアルキレン基、ｎは平均付加モル数であり１〜２０、好ましくは５〜１５の数である。）で表されるポリオキシアルキレン付加型非イオン性界面活性剤、アルキルグリコシド、ソルビタン脂肪酸エステル等も挙げられ、ポリオキシアルキレン（炭素数２〜３）アルキル（炭素数１０〜１８）エーテル（アルキレンオキシド平均付加モル数５〜２０）が好ましい。
【００３８】
両性界面活性剤としては特に限定されず、公知のものを使用できる。具体的には、カルボン酸塩型、硫酸エステル塩型、スルホン酸塩型、リン酸エステル塩型などの両性界面活性剤が挙げられ、なかでも洗浄力の点から、カルボン酸型が好ましい。
カルボン酸塩型の両性界面活性剤としは、ラウリルジメチルアミノ酢酸ベタイン、ヤシアルキルジメチルアミノ酢酸ベタイン、ヤシ油脂肪酸アミドプロピルベタイン、ラウリン酸アミドプロピルジメチルアミノ酢酸ベタイン、ヤシアルキルアミドプロピルジメチルアミノ酢酸ベタイン等のベタイン型両性界面活性剤が挙げられる。
【００３９】
カチオン性界面活性剤としては特に限定されず、公知のものを使用できる。具体的には、ジデシルジメチルアンモニウムクロライド、ジデシルジメチルアンモニウムメトサルフェート、ジステアリルジメチルアンモニウムクロライド、ジオクチルジメチルアンモニウムクロライド、ジステアリルジヒドロキシエチルアンモニウムクロライド、ジ牛脂アルキルジメチルアンモニウムクロライド、ジ（ステアロイルオキシエチル）ジメチルアンモニウムクロライド、ジ（オレオイルオキシエチル）ジメチルアンモニウムクロライド、ジ（パルミトイルオキシエチル）ジメチルアンモニウムメトサルフェート、ジ（ステアロイルオキシイソプロピル）ジメチルアンモニウムクロライド、ジ（オレオイルオキシイソプロピル）ジメチルアンモニウムクロライド、ジ（オレオイルオキシブチル）ジメチルアンモニウムクロライド、ジ（ステアロイルオキシエチル）メチルヒドロキシエチルアンモニウムメトサルフェート、トリ（ステアロイルオキシエチル）メチルメトサルフェート等が挙げられる。なお、「牛脂アルキル」基の炭素数は１４〜１８である。
上記のなかでも、ジデシルジメチルアンモニウムクロライド、ステアリルトリメチルアンモニウムクロライドが好ましい。
【００４０】
（金属イオン封鎖剤）
金属イオン封鎖剤は、種々の汚れと複合した石鹸カス汚れ等に対して優れた洗浄力を発揮するものである。金属イオン封鎖剤としては、特に限定されないが、例えば、有機カルボン酸類、アミノカルボン酸類、ホスホン酸類、ホスホノカルボン酸類、リン酸類等が挙げられる。
【００４１】
有機カルボン酸類としては、酢酸、アジピン酸、モノクロル酢酸、シュウ酸、コハク酸、オキシジコハク酸、カルボキシメチルコハク酸、カルボキシメチルオキシコハク酸等、またグリコール酸、ジグリコール酸、乳酸、酒石酸、カルボキシメチル酒石酸、クエン酸、リンゴ酸、グルコン酸等のヒドロキシカルボン酸物質を挙げることができる。
アミノカルボン酸類としては、ニトリロトリ酢酸、イミノジ酢酸、エチレンジアミンテトラ酢酸、ジエチレントリアミノペンタ酢酸、Ｎ−ヒドロキシエチルエチレンジアミン酢酸、エチレンジアミンテトラプロピオン酢酸、トリエチレンテトラヘキサ酢酸、エチレングリコールジエーテルジアミンテトラ酢酸、ヒドロキシエチルイミノジ酢酸、シクロヘキサン−１，２−ジアミンテトラ酢酸等を挙げることができる。
ホスホン酸類としては、エタン−１，１−ジホスホン酸、エタン−１，１，２−トリホスホン酸、１−ヒドロキシエタン−１，１−ジホスホン酸およびその誘導体、１−ヒドロキシエタン−１，１，２−トリホスホン酸、エタン−１，２−ジカルボキシ−１,２−ジホスホン酸、メタンヒドロキシホスホン酸、アミノトリメチレンホスホン酸等を挙げることができる。
ホスホノカルボン酸類としては、２−ホスホノブタン−１，２−ジカルボン酸、１−ホスホノブタン−２，３，４−トリカルボン酸、α−メチルホスホノコハク酸等を挙げることができる。リン酸類としては、オルソリン酸、ピロリン酸、トリポリリン酸、メタリン酸、ヘキサメタリン酸、フィチン酸等の縮合リン酸等を挙げることができる。
これらの中でもアミノカルボン酸類が好ましく、特に、洗浄力の点から、エチレンジアミンテトラ酢酸が好ましく選ばれる。
【００４２】
これら金属イオン封鎖剤は、酸の形でも使用可能であるし、カリウム、ナトリウム等のアルカリ金属との塩、モノエタノールアミン、ジエタノールアミン、トリエタノールアミン等のアルカノールアミンとの塩等、塩基性物質との塩の形で使用することも可能である。
【００４３】
金属イオン封鎖剤を用いる場合、その含有量は、液体洗浄剤中、０．１〜１２質量％が好ましく、さらに好ましくは０．２〜８質量％、最も好ましくは０．５〜５％である。下限値以上であると、金属イオン封鎖剤を用いることによる効果が得られ、上限値未満であると、すすぎ性も良好に維持できる。
【００４４】
本発明の液体洗浄剤のｐＨは、２５℃でのｐＨが５〜１０であることが好ましく、７〜９であることがより好ましい。
液体洗浄剤のｐＨが上記範囲内であると、浴室内の素材を傷めることなく各種の汚れに対する洗浄力が良好となる。
【００４５】
以上説明した液体洗浄剤は、分岐構造を有する硫酸エステル塩である化合物（ａ）と、炭素数が８〜１６である脂肪酸のアルカリ金属塩（ｂ）とを特定の比率で含有する。そのため、原液のままでも泡立ち性に優れるものでありながら、水が加えられて希釈されると速やかに破泡し、すすぎ性に優れる。
かかる効果が得られる理由は、必ずしも明らかではないが、以下のように推測される。
【００４６】
すなわち、化合物（ａ）は、β位で分岐している特異的な構造により、一般的な直鎖状または分岐鎖状のアニオン界面活性剤に比べ動的表面張力低下能が高い。そのため、新しく界面が出来た時に界面活性剤分子膜が速やかに形成され、原液でも泡立ちやすいものと考えられる。また、β位のみの分岐構造は、一般的な分岐アニオン界面活性剤よりも、疎水基が嵩高くなるため、界面に密に配向しにくい構造となっている。そのため、溶液が希釈されると一気に破泡しやすく、すすぎ性が良好であるものと考えられる。
【００４７】
また、（ｂ）成分は、上述したように消泡作用を奏する成分である。すなわち、（ｂ）成分は、カルシウムイオンの捕捉能が高い成分ため、すすぎの際には、使用される水道水中のカルシウムイオンをすばやく捕捉して、水に不溶な脂肪酸カルシウム塩に変化し、これにより、消泡作用を発揮する。すすぎの際には、シャワーを用いて水道水を浴槽などにあてて、すすぐことが一般に行われるが、このような消泡作用によれば、すすぎの際のシャワーの勢いによる再起泡も抑制できる。
【００４８】
また、さらに（ｃ）成分を用いることで、液体洗浄剤の擦り始めの初期の泡立ち性を向上させることができる。（ｃ）成分を用いることにより、かかる効果が得られる理由は明らかではないが、（ｃ）成分が（ａ）成分および（ｂ）成分のそれぞれと複合体を形成し、その結果、（ａ）〜（ｃ）の各成分それぞれが単一成分として存在する場合よりも、初期の泡立ち性が高くなるものと考えられる。
【００４９】
本発明の液体洗浄剤は、液体洗浄剤を濡れた状態にあるスポンジに含ませて、濡れた状態にある浴室を擦って洗浄する方法においても好適に使用できるが、近年普及している浴室乾燥機能により、スポンジや浴室が乾燥状態にある場合でも、これらをあらかじめ水で濡らさなくても、充分に泡立ち、良好に洗浄することができる。
また、本発明の液体洗浄剤は、すすぎ性に優れるため、泡が排出されにくいワンプッシュ排水栓を備えた排水口においても、泡が滞留することなく、短時間かつ少ない水量で、すすぎを終了することができる。
【実施例】
【００５０】
以下に実施例を用いて本発明をさらに詳しく説明するが、本発明はこれら実施例に限定されるものではない。
【００５１】
＜液体洗浄剤の調製＞
表に示す配合組成に従って、以下に示す製造方法により、各実施例および比較例の液体洗浄剤１０００ｇをそれぞれ調製した。
表中の配合量の単位は「質量％」であり、いずれの成分も純分換算量を示す。
なお、各例の液体洗浄剤は、表に記載の各成分の合計が１００質量％となるように水でバランスして調製した。
【００５２】
［調製方法］
１Ｌビーカーに、バランス成分である蒸留水の７０〜８０％を入れ、ついで、（ａ）成分または（ａ’）成分と、（ｂ）成分と、（ｃ）成分と、任意成分を表の記載に則して入れ、マグネチックスターラー（Ｆｉｎｅ製 Ｆ−６０６Ｎ）で充分に撹拌した。
撹拌による混合終了後、２５℃でのｐＨが７〜９の範囲になるように、必要に応じｐＨ調整剤を適量（水酸化ナトリウムを純分として約２ｇ以下の量。）添加した。その後、全体量が１００質量％になるように蒸留水を入れ、さらによく攪拌し、各例の浴室用液体洗浄剤をそれぞれ製造した。
なお、水の配合量を示す「バランス」は、液体洗浄剤に含まれる全配合成分の合計の配合量（質量％）が１００質量％となるように加えられた残部を意味する。
【００５３】
ｐＨ測定は、液体洗浄剤を２５℃に調温し、ガラス電極式ｐＨメータ（製品名：ＨＭ−３０Ｇ、東亜ディーケーケー（株）製）を用い、ガラス電極を液体洗浄剤に直接に浸漬して行った。また、ｐＨの値は、１分間経過後に示すｐＨの値を採用した。
【００５４】
表中、（ａ）／（ｂ）は、液体洗浄剤中の（ｂ）成分含有量に対する、（ａ）成分含有量の割合（質量比）を意味する。
（ｃ）／（ａ）は、液体洗浄剤中の（ａ）成分含有量に対する、（ｃ）成分含有量の割合（質量比）を意味する。
【００５５】
［各成分］
以下に、表中に示した成分について説明する。
（（ａ）成分）
（ａ）−１：ポリオキシエチレンモノ（２−プロピルヘプチル）エーテル硫酸エステルＮａ
ＢＡＳＦ社製「ルテンゾール  ＸＰ３０」２９０ｇを、撹拌装置付の５００ｍＬフラスコに取り、窒素置換後、液体無水硫酸（サルファン）８１ｇを反応温度４０℃に保ちながらゆっくりと滴下した。滴下終了後、１時間撹拌を続け、目的とするポリオキシエチレンアルキルエーテル硫酸を得た。さらに、これを水酸化ナトリウム水溶液で中和することにより得た。
（ａ）−１は、式（１）において、ＣｘＨ２ｘ＋１＝プロピル基、ＣｙＨ２ｙ＋１＝ペンチル基、ｘ＋ｙ＝８、ｐ＝０、ｑ＝３、Ｍ＝ナトリウムに相当。
【００５６】
（ａ）−２：ポリオキシエチレンモノ（２−プロピルヘプチル）エーテル硫酸エステルＮａ
ＢＡＳＦ社製「ルテンゾール  ＸＰ３０」の代わりに、ＢＡＳＦ社製「ルテンゾール  ＸＰ４０」の３３４ｇを用いた以外は、（ａ）−１と同様にして調製した。
（ａ）−２は、式（１）において、ＣｘＨ２ｘ＋１＝プロピル基、ＣｙＨ２ｙ＋１＝ペンチル基、ｘ＋ｙ＝８、ｐ=０、ｑ＝４、Ｍ＝ナトリウムに相当。
【００５７】
（ａ）−３：ポリオキシエチレンポリオキシプロピレンモノ（２−プロピルヘプチル）エーテル硫酸エステルＮａ
ＢＡＳＦ社製「ルテンゾール  ＸＰ３０」の代わりに、ＢＡＳＦ社製「ルテンゾール  ＸＬ４０」の３４９ｇを用いた以外は、（ａ）−１と同様にして調製した。
（ａ）−３は、式（１）において、ＣｘＨ２ｘ＋１＝プロピル基、ＣｙＨ２ｙ＋１＝ペンチル基、ｘ＋ｙ＝８、ｐ＝１、ｑ＝３、Ｍ＝ナトリウムに相当。
【００５８】
（（ａ）成分の比較品である（ａ’）成分）
（ａ’）−１：直鎖アルキルベンゼンスルホン酸塩
炭素数１０〜１４のアルキル基を有するアルキルベンゼンスルホン酸ナトリウム（テイカ製  テイカパワーＬ１２１を水酸化ナトリウムにて中和。略称：ＬＡＳ−Ｎａ
【００５９】
（ａ’）−２：２−プロピルヘプチルエーテル硫酸エステルＮａ
ヘキシルアルデヒドをアルカリによってゲルベ縮合（二量化）させ、これによって得られた２−プロピルヘプタノールの１５８ｇを撹拌装置付の５００ｍＬフラスコに取り、窒素置換後、液体無水硫酸（サルファン）８１ｇを反応温度４０℃に保ちながらゆっくりと滴下した。滴下終了後、１時間撹拌を続け、目的とするアルキルエーテル硫酸を得た。さらに、これを水酸化ナトリウム水溶液で中和することにより得た。
（ａ’）−２は、式（１）において、ＣｘＨ２ｘ＋１＝プロピル基，ＣｙＨ２ｙ＋１＝ペンチル基、ｘ＋ｙ＝８、ｐ=０、ｑ＝０、Ｍ＝ナトリウムに相当。
【００６０】
（ａ’）−３：ポリオキシエチレン（2−ブチルオクチル）エーテル硫酸エステルナトリウム（エチレンオキサイド平均３モル付加）
４Ｌのオートクレーブ中に、サソール社製、商品名ＩＳＯＦＯＬ１２（式（１）におけるＣｘＨ２ｘ＋１＝ブチル基，ＣｙＨ２ｙ＋１＝ヘキシル基）の３７２ｇと、水酸化カリウム触媒の０．８ｇとを仕込み、オートクレーブ内を窒素置換し、攪拌しながら昇温した。その後、温度１８０℃、圧力０．３ｍＰａに維持しながら、エチレンオキシドの２７１ｇを導入し、エチレンオキシドの平均付加モル数３の反応物を得た。次に、こうして得られたアルコールエトキシレートの３２１ｇを撹拌装置付の５００ｍＬフラスコに取り、窒素置換後、液体無水硫酸（サルファン）の８１ｇを反応温度４０℃に保ちながらゆっくりと滴下した。滴下終了後、１時間撹拌を続け、目的とするポリオキシエチレンアルキルエーテル硫酸を得た。さらに、これを水酸化ナトリウム水溶液で中和することにより（ａ’）−３を得た。
（ａ’）−３は、式（１）において、ＣｘＨ２ｘ＋１＝ブチル基，ＣｙＨ２ｙ＋１＝ヘキシル基、ｘ＋ｙ＝１０、ｐ＝０、ｑ＝３、Ｍ＝ナトリウムに相当。
【００６１】
（ａ’）−４：ポリオキシエチレン（２−ブチルオクチル）エーテル硫酸エステルナトリウム（エチレンオキサイド平均１２モル付加）
４Ｌのオートクレーブ中に、サソール社製、商品名ＩＳＯＦＯＬ１２（式（１）におけるＣｘＨ２ｘ＋１＝ブチル基，ＣｙＨ２ｙ＋１＝ヘキシル基）の３７２ｇと、水酸化カリウム触媒０．８ｇとを仕込み、オートクレーブ内を窒素置換し、攪拌しながら昇温した。その後、温度１８０℃、圧力０．３ｍＰａに維持しながらエチレンオキシド１０８４ｇを導入し、エチレンオキシドの平均付加モル数１２の反応物を得た。次に、こうして得られたアルコールエトキシレートの７２８ｇを撹拌装置付の５００ｍＬフラスコに取り、窒素置換後、液体無水硫酸（サルファン）の８１ｇを反応温度４０℃に保ちながらゆっくりと滴下した。滴下終了後、１時間撹拌を続け、目的とするポリオキシエチレンアルキルエーテル硫酸を得た。さらに、これを水酸化ナトリウム水溶液で中和することにより（ａ’）−４を得た。
（ａ’）−４は、式（１）において、ＣｘＨ２ｘ＋１＝ブチル基，ＣｙＨ２ｙ＋１＝ヘキシル基、ｘ＋ｙ＝１０、ｐ＝０、ｑ＝１２、Ｍ＝ナトリウムに相当。
【００６２】
（ａ’）−５：炭素数１３の分岐アルコールにＥＯ平均３モル付加品の硫酸化物
ＢＡＳＦ社製「ルテンゾール  ＴＯ３」の３３２ｇを、撹拌装置付の５００ｍＬフラスコに取り、窒素置換後、液体無水硫酸（サルファン）の８１ｇを反応温度４０℃に保ちながらゆっくりと滴下した。滴下終了後、１時間撹拌を続け、目的とするポリオキシエチレンアルキルエーテル硫酸を得た。さらに、これを水酸化ナトリウム水溶液で中和することにより（ａ’）−５を得た。
【００６３】
（ａ’）−６：直鎖ラウリルアルコールのＥＯ平均５モル付加品の硫酸化物
４Ｌのオートクレーブ中に、新日本理化社製、商品名コノール１２７５の３７２ｇと、水酸化カリウム触媒の０．８ｇとを仕込み、オートクレーブ内を窒素置換し、攪拌しながら昇温した。その後、温度１８０℃、圧力０．３ｍＰａに維持しながらエチレンオキシドの４５３ｇを導入し、エチレンオキシドの平均付加モル数５モルの反応物を得た。次に、こうして得られたアルコールエトキシレートの４１３ｇを撹拌装置付の５００ｍＬフラスコに取り、窒素置換後、液体無水硫酸（サルファン）の８１ｇを反応温度４０℃に保ちながらゆっくりと滴下した。滴下終了後、１時間撹拌を続け、目的とするポリオキシエチレンアルキルエーテル硫酸を得た。さらに、これを水酸化ナトリウム水溶液で中和することにより（ａ’）−６を得た。
なお、（ａ’）−６は、分岐構造を持たないものである。
【００６４】
（ａ’）−７：直鎖ラウリルアルコールのＥＯ平均２モル付加品の硫酸化物
４Ｌのオートクレーブ中に、新日本理化社製、商品名コノール１２７５の３７２ｇと、水酸化カリウム触媒の０．８ｇとを仕込み、オートクレーブ内を窒素置換し、攪拌しながら昇温した。その後、温度１８０℃、圧力０．３ｍＰａに維持しながらエチレンオキシドの１８１ｇを導入し、エチレンオキシドの平均付加モル数２モルの反応物を得た。次に、こうして得られたアルコールエトキシレートの２７４ｇを撹拌装置付の５００ｍＬフラスコに取り、窒素置換後、液体無水硫酸（サルファン）の８１ｇを反応温度４０℃に保ちながらゆっくりと滴下した。滴下終了後、１時間撹拌を続け、目的とするポリオキシエチレンアルキルエーテル硫酸を得た。さらに、これを水酸化ナトリウム水溶液で中和することにより（ａ’）−７を得た。
なお、（ａ’）−７は、分岐構造を持たないものである。
【００６５】
（ａ’）−８：直鎖ラウリルアルコールのＥＯ平均１５モル付加品の硫酸化物
４Ｌのオートクレーブ中に、新日本理化社製、商品名コノール１２７５の３７２ｇと、水酸化カリウム触媒の０．８ｇとを仕込み、オートクレーブ内を窒素置換し、攪拌しながら昇温した。その後、温度１８０℃、圧力０．３ｍＰａに維持しながらエチレンオキシドの１３５９ｇを導入し、エチレンオキシドの平均付加モル数１５の反応物を得た。次に、こうして得られたアルコールエトキシレートの８６６ｇを撹拌装置付の５００ｍＬフラスコに取り、窒素置換後、液体無水硫酸（サルファン）の８１ｇを反応温度４０℃に保ちながらゆっくりと滴下した。滴下終了後、１時間撹拌を続け、目的とするポリオキシエチレンアルキルエーテル硫酸を得た。さらに、これを水酸化ナトリウム水溶液で中和することにより（ａ’）−８を得た。
なお、（ａ’）−８は、分岐構造を持たないものである。
【００６６】
（ａ’）−９：直鎖ミリスチルアルコールのＥＯ平均３モル付加品の硫酸化物
４Ｌのオートクレーブ中に、花王社製、商品名カルコール４０９８の４１２ｇと、水酸化カリウム触媒の０．８ｇとを仕込み、オートクレーブ内を窒素置換し、攪拌しながら昇温した。その後、温度１８０℃、圧力０．３ｍＰａに維持しながらエチレンオキシドの２７１ｇを導入し、エチレンオキシドの平均付加モル数３の反応物を得た。次に、こうして得られたアルコールエトキシレートの３４２ｇを撹拌装置付の５００ｍＬフラスコに取り、窒素置換後、液体無水硫酸（サルファン）の８１ｇを反応温度４０℃に保ちながらゆっくりと滴下した。滴下終了後、１時間撹拌を続け、目的とするポリオキシエチレンアルキルエーテル硫酸を得た。さらに、これを水酸化ナトリウム水溶液で中和することにより、（ａ’）−９を得た。
なお、（ａ’）−９は、分岐構造を持たないものである。
【００６７】
（ａ’）−１０：炭素数Ｃ１２，１３の合成アルコ−ルのＥＯ平均３モル付加品の硫酸化物
４Ｌのオートクレーブ中に、サソール社製、商品名Ｓａｆｏｌ２３の４００ｇと、水酸化カリウム触媒の０．８ｇを仕込み、オートクレーブ内を窒素置換し、攪拌しながら昇温した。その後、温度１８０℃、圧力０．３ｍＰａに維持しながらエチレンオキシドの２７１ｇを導入し、エチレンオキシドの平均付加モル数３の反応物を得た。次に、こうして得られたアルコールエトキシレートの３３４ｇを撹拌装置付の５００ｍＬフラスコに取り、窒素置換後、液体無水硫酸（サルファン）の８１ｇを反応温度４０℃に保ちながらゆっくりと滴下した。滴下終了後、１時間撹拌を続け、目的とするポリオキシエチレンアルキルエーテル硫酸を得た。さらに、これを水酸化ナトリウム水溶液で中和することにより、（ａ’）−１０を得た。
【００６８】
（（ｂ）成分）
（ｂ）−１：ヤシ油脂肪酸カリウム（ライオンケミカル製）
（ｂ）−２：ミリスチン酸カリウム（日本油脂製、商品名：ノンサールＭＫ−１）
【００６９】
（（Ｃ）成分）
（ｃ）−１：ラウリルアミノプロピオン酸ナトリウム塩（一方社油脂工業製、商品名：アンフォラックＬ−１８）
【００７０】
（任意成分）
（ｄ）−１：ジエチレングリコールモノブチルエーテル：（日本乳化剤製、ブチルジグリコール）
（ｄ）−２：エチレンジアミンテトラ酢酸２ナトリウム：（ＢＡＳＦ製、商品名：Ｔｒｉｌｏｎ  ＢＤ）
（ｄ）−３：クエン酸三ナトリウム二水和物（扶桑化学工業製、精製クエン酸ナトリウム）
【００７１】
なお、ｐＨ調整剤としては、水酸化ナトリウム（関東化学製、試薬特級）を用いた。また、（ａ）成分および（ａ’）成分を製造する際に用いた水酸化ナトリウム水溶液は、水酸化ナトリウム（関東化学製、試薬特級）を水に溶解させたものを使用した。
【００７２】
＜液体洗浄剤の評価＞
各例の液体洗浄剤について、以下に示す評価方法によって各評価を行い、その結果を表に併記した。
【００７３】
［泡立ち性の評価］
液体洗浄剤の１５ｍｌを乾いた７５×１６０×４７ｍｍのウレタンスポンジ（スコッチブライト、バスシャイン抗菌スポンジ）に含ませ、乾いた１３０×６０×６５ｃｍのプラスチック製浴槽（ＴＯＴＯ社製：ＳＰＲＩＮＯ  Ｓ  ｔｙｐｅ）のうち、約３０ｃｍ×３０ｃｍの部分を円を描く様に１０回擦った。その際の泡立ちを「初期の泡立ち性」として評価した。引き続き、浴槽内全体を１００回擦り、その際の泡立ちを「泡立ち性」として評価した。評価基準はいずれも以下のとおりとし、３点以上を合格とした。
５点：泡立ちが非常に良好
４点：泡立ちが良好
３点：泡立ちにむらがある
２点：若干泡立つ程度
１点：ほとんど泡立たない
【００７４】
［すすぎ性の評価］
上記「泡立ち性の評価」において、浴槽内全体を１００回擦った後、シャワーを用いて水道水（温度２５℃、流量１２Ｌ／分）ですすぎを開始した。すすぎを開始してから、浴槽底部のワンプッシュ排水栓の周囲の泡が消え、水が滞りなく流れる状態になるまでの時間（秒）を測定した。３０秒以下を合格とした。
【００７５】
【表１】
2013194127.tif 000006
【００７６】
【表２】
2013194127.tif 000007
【００７７】
【表３】
2013194127.tif 000008
【００７８】
表に示す結果から、各実施例の液体洗浄剤によれば、乾いたスポンジを用いて、乾いた浴室を洗浄した場合でも、泡立ち性に優れ、かつ、すすぎ性も良好であることが明らかとなった。また、（ｃ）成分を含む液体洗浄剤は、初期の泡立ち性も良好であった。
これに対して、各比較例の液体洗浄剤は、泡立ち性が比較的良好であっても、すすぎ性が悪い、あるいは、泡立ち性が悪いうえにすすぎにも時間を要する例がほとんどであり、泡立ち性とすすぎ性とを共に満足する例はなかった。